(57)【特許請求の範囲】
【請求項１】
スピンドルモータ用の周波数発電機を装備していない光ディスク再生装置におけるＲＦ増幅回路のゲイン調整方法であって、光ディスクが装着されるのに伴い、フォーカスサーボ及びスピンドルサーボの開始後に行なう前記ゲイン調整方法において、
ＲＦ信号の振幅が所定の閾値内であるか否かを判別する第１のステップと、該第１のステップで否定となった場合に、ＲＦ信号の振幅が所定のＮＧレベルより小さいか否かを判別する第２のステップとを有し、
ＲＦ増幅回路のゲインを順次変更してＲＦ信号の振幅が所定の閾値内になるＲＦ増幅回路のゲインを探索している場合に、
該ゲインの変更のつど前記第１のステップと、該第１のステップの判別が否定である場合には前記第２のステップとを実行し、前記第２のステップにおける判別が肯定であるときは、ＲＦ増幅回路のゲイン調整を中止し、光ディスクを回転するスピンドルモータの回転を停止し、
前記第１のステップではＲＦ信号の振幅が第１の閾値以上で且つ第２の閾値以下であるか否かを判別し、前記ＮＧレベルは前記第１の閾値より小さくし、
ＲＦ増幅回路のゲインを順次変更してＲＦ信号の振幅が所定の閾値内になるＲＦ増幅回路のゲインを探索している場合に、前記第２のステップで肯定となった回数、即ちＮＧ回数をカウントする第３のステップと、前記ＮＧ回数が所定のＮＧ回数より大きいか否かを判別する第４のステップとを有し、ＮＧ回数が所定のＮＧ回数より大きいときはＲＦ増幅回路のゲイン調整を中止し、光ディスクを回転するスピンドルモータの回転を停止し、
前記第４のステップで否定となった場合には、ＲＦ増幅回路のゲインを変更してＲＦ信号の振幅が所定の閾値内になるＲＦ増幅回路のゲインを再度探索し、
前記第２のステップで否定となった場合に、ＲＦ増幅回路のゲインを順次変更して、ＲＦ信号の振幅が所定の閾値内になるＲＦ増幅回路のゲインを探索した回数、即ちリトライ回数をカウントする第５のステップと、前記リトライ回数が所定のリトライ回数より大きいか否かを判別する第６のステップを有し、
前記第６のステップで否定となったときはＲＦ増幅回路のゲインを変更してＲＦ信号の振幅が所定の閾値内になるＲＦ増幅回路のゲインを再度探索することを特徴とする光ディスク再生装置におけるＲＦ増幅回路のゲイン調整方法。
【請求項２】
請求項１記載の光ディスク再生装置におけるＲＦ増幅回路のゲイン調整方法において、
前記第６のステップで肯定となったときはＲＦ増幅回路のゲインをデフォルト値に設定することを特徴とする光ディスク再生装置におけるＲＦ増幅回路のゲイン調整方法。
【発明の詳細な説明】
【０００１】
【発明の属する技術分野】
本発明は光ディスク再生装置の自動調整方法に関し、特にＲＦ増幅回路のゲイン調整方法に関する。
【０００２】
【従来の技術】
以下に、従来の光ディスク再生装置の概要について図３を参照して説明する。図３は一般的な光ディスク再生装置の一例を示すブロック図であり、特に光ディスクが光ディスク再生装置に装着された直後に、再生開始前に行う自動調整に関連するブロック図を示し、それ以外のブロックは図示が省略されている。以下の説明では図示しない光ディスク媒体は楽曲が記録されているコンパクトディスク（以下、単にＣＤとも記す）であるものとして説明する。
【０００３】
図３に示す光ディスク再生装置２０において、光ピックアップ１１は、内蔵する半導体レーザから出射されるレーザ光を集光して、ディスク媒体上の目標の位置に照射し記録されている情報を再生するものであって、その構造については図示していないが、光学系と駆動機構系とから構成されている。前記光学系は、前記ディスク媒体面上にレーザ光を集光させたり、レーザ光スポットとディスク媒体上の目標位置とのずれを検出したりする機構であり、半導体レーザ、レンズ類、ビームスプリッタ、フォトダイオード等の光検知器（以下、光センサとも記す）等で構成される。
【０００４】
前記駆動機構系は、対物レンズを前記光ディスクの面振れに追従させるフォーカス制御及びトラック振れに追従させるトラック制御を行って、ディスク媒体上の目標位置とレーザ光スポットとの位置関係を一定に維持するための駆動機構（以下、アクチュエータとも記す）であり、主にマグネット、コイル、支持部材から構成されている。その他前記駆動機構系には、前記光ピックアップ全体を前記光ディスクの半径方向の目標位置へ移動させるためのスレッド制御系の駆動機構も含まれている。
【０００５】
光ピックアップ１１では、対物レンズがばね材でフォーカスアクチュエータに接続されており、前記フォーカスアクチュエータによって対物レンズの位置（光ディスク記録面との距離）が制御されるようになっている。前記レーザ光ビームは、前記対物レンズ等を通過して前記光ディスク媒体の記録面で反射し、図示しないビームスプリッタ、集光レンズ等を介してフォトダイオードに入射する。前記フォトダイオードは例えば４分割フォトダイオードであり、この分割された夫々のダイオードの出力を用いて、フォーカスずれやトラックずれがエラー信号検出手段１５により検出される。エラー信号検出手段１５はフォーカスエラー信号（以下、ＦＥＳとも記す）を検出して出力するフォーカスエラー信号検出回路と、トラッキングエラー信号（以下、ＴＥＳとも記す）を検出して出力するトラッキングエラー信号検出回路とからなる。
【０００６】
フォーカス制御系は光ピックアップ１１、ＲＦ増幅回路１３、エラー信号検出手段１５、加算回路１７、位相補償回路１９、アクチュエータ駆動回路２１、システム制御手段２７で構成され、トラッキング制御系の構成も同じであるが、前記２つの制御系における実際の回路では、一部はフォーカス制御系とトラッキング制御系とで共通であり、一部はそれぞれで異なる回路が使用される。
光ディスク再生装置２０は、フォーカス制御系に関して、オフセット補正電圧発生器、フォーカスサーチ信号発生器、フォーカスサーチを行うための矩形波発生器、フォーカス制御系のフォーカスバランス調整を行うフォーカスバランス調整手段などを備えるが、図示は省略されている。
【０００７】
図３において、システム制御手段２７はフォーカスオフセットを補正するためのフォーカスオフセット補正電圧や、トラッキングオフセットを補正するためのトラッキングオフセット補正電圧を加算回路１７に与える。加算回路１７は前記フォーカスエラー信号ＦＥＳとトラッキングエラー信号ＴＥＳとに、夫々のオフセット補正電圧を加算して、該加算した信号を位相補償回路１９に与える。位相補償回路１９は各制御ループの安定度を向上するために、夫々の系に対して適当な位相補償を行う。
【０００８】
アクチュエータ駆動回路２１は、位相補償回路１９の出力に応じて、光ピックアップ１１から出射されるレーザ光のビームウエストが光ディスクの記録面上にくるように前記対物レンズを光ディスク面に垂直に移動するためのフォーカスアクチュエータ駆動回路と、ビームスポットがトラックの中心上を照射するように、光ディスクの半径方向に前記対物レンズを移動するためのトラッキングアクチュエータ駆動回路とからなる。
光ディスク再生装置２０全体の動作はシステム制御手段２７によって制御される。また、システム制御手段２７はそのメモリに格納されているゲイン制御信号をＲＦ増幅回路１３に与え、ＲＦ増幅回路１３のゲインは与えられたゲイン制御信号に応じたゲインとなる。
【０００９】
ＲＦ信号処理部３０はＲＦ増幅回路１３、エラー信号検出手段１５、再生ＲＦ信号生成回路２３、ＲＦ信号振幅検出手段２５によって構成される。これらの具体的な回路ブロックについては後述する。
再生ＲＦ信号生成回路２３はＲＦ増幅回路１３の出力信号から再生ＲＦ信号（以下、ＳＲＦとも記す）を生成する。再生ＲＦ信号ＳＲＦは音楽データを再生するための主信号であり、ＥＦＭ復調などを行う信号処理回路（図示しない）に与えられる。ＲＦ信号振幅検出手段２５は再生ＲＦ信号の振幅を検出し、該振幅値を所定時間平均し、該平均値をシステム制御手段２７に与える。後述するように、光ディスクが光ディスク再生装置２０に装着されると、光ディスクを再生する前に、ＲＦ増幅回路１３の出力レベルを略所定値にするための自動調整が行われるが、該自動調整において前記再生ＲＦ信号ＳＲＦの平均値が使用される。
【００１０】
再生ＲＦ信号ＳＲＦの振幅が一定しない原因は、光ピックアップ１１のレーザダイオードの発光強度や、光ディスクの反射率や、光検知器の感度がばらついたり、変化したりするためである。そして、再生ＲＦ信号ＳＲＦの振幅が異常な場合には、エラー信号検出手段１５において十分な振幅のエラー信号が得られなくなったり、或いは弁別回路で得られる信号のジッタが多くなったり、復調された信号のエラー率が悪化するなどの問題を生じやすい。
【００１１】
一方、フォーカスオフセットやフォーカスアンバランスの原因は、例えば光ディスク面と光ピックアップ１１との角度が不適正であることや、４分割フォトダイオードにおける各ダイオードの感度の違い、電気回路のオフセット電圧などがある。そして、前記フォーカス制御系内にオフセット信号を持っている場合には、正確なフォーカス制御ができないことになり、フォーカスバランスの調整が悪いとフォーカス引き込みが不可能になる場合もある。トラッキング制御系に関しても同様であり、トラッキング系の直流オフセットが大きい場合やバランス調整が悪い場合は、トラッキングの残留誤差が大きくなり、引き込みに長時間を要したりトラックはずれが生じ易くなったりする。
【００１２】
このため、正確なフォーカス制御やトラッキング制御を行うために、及びエラー率の低い再生データを得るために、再生する光ディスクが光ディスク再生装置２０に装着されると、再生に先立ってまず光ディスク再生装置の自動調整が行われる。この自動調整の一部として、ＲＦ増幅回路１３のゲイン調整を行い、フォーカス制御系、トラッキング制御系のそれぞれの直流オフセットとバランスの補正を行い、各制御系のゲイン調整が行われる。
【００１３】
以下、一般的な光ディスク再生装置において、再生開始に先立って行われる自動調整の手順について説明する。
図４は一般的な光ディスク再生装置に係る自動調整手順の一例を示すフローチャートである。図４において、光ディスク再生装置２０に光ディスクが装着されると、光ピックアップ１１が最内周部にある状態にして、ステップＳ１１でトラッキング制御系のオフセット補正を行い、ステップＳ１３へ進む。ステップＳ１３では、光ピックアップ１１のレーザ光源を起動（ＯＮ）しステップＳ１５へ進む。
ステップＳ１５ではフォーカス制御系のオフセット補正を行い、ステップＳ１７へ進む。ステップＳ１７ではフォーカスサーチを行い、フォーカス制御系のループを閉じ（フォーカスサーボＯＮ）てステップＳ１９へ進む。
【００１４】
ステップＳ１９ではターンテーブルを所定速度で回転させるためのスピンドル制御系のループを閉じ（スピンドルサーボＯＮ）、ステップＳ２１へ進む。
ステップＳ２１では、トラッキングバランス調整を行いステップＳ５１へ進む。前記トラッキングバランス調整は、光ディスク媒体自体の偏芯及びディスクチャッキングによる偏芯によりレーザ光ビームが情報トラックを横切ったときに生じる所謂トラック跨ぎ信号を用いて、トラッキング誤差信号ＴＥの上側ピークレベルと下側ピークレベルとが一致するように可変利得増幅器のゲインを調整する。
【００１５】
ステップＳ５１では、トラッキング制御系とスレッド制御系のループを閉じ（トラッキング＆スレッドサーボＯＮ）、制御系が安定するまで６００ｍｓ待機してステップＳ５３へ進む。前記トラッキング制御系のループの開閉や、前記スレッド制御系のループの開閉は、システム制御手段２７により制御して行う。ステップＳ５３ではフォーカス制御系のゲイン調整を行い、ステップＳ５５ではトラッキング制御系のゲイン調整を行いステップＳ５７へ進む。
【００１６】
ステップＳ５７では光ピックアップ１１のフォトダイオードの出力を増幅するＲＦ増幅回路のゲイン調整を行い、ステップＳ５９へ進む。ステップＳ５９ではフォーカス制御系のバランス調整を行いステップＳ６１へ進む。
コンパクトディスク（ＣＤ）の最内周には記録されている楽曲などの名称や記録位置などの一覧を示すＴＯＣ（テーブル・オブ・コンテンツ）が記録されており、ステップＳ６１では光ディスク媒体のＴＯＣ領域をサーチし、ステップＳ６３ではＴＯＣの情報を読み取り、次の処理ステップへ進む。次の処理ステップでは、操作者が選択したトラックの楽曲を光ピックアップ１１で読み出すための動作が行われる。
前記した各項目の調整において、調整値を探索しても収束しない場合は殆ど、その項目の調整値はデフォルト値に設定される。
【００１７】
次に、前記した図４のステップＳ５７で示すＲＦ増幅回路のゲイン調整の一例について説明する。
図５は従来例光ディスク再生装置におけるＲＦ増幅回路のゲイン調整手順を示すフローチャートである。このフローチャートで示す処理では、ＲＦ増幅回路のゲインを順次変更して、再生ＲＦ信号ＳＲＦの平均値を算出し、該平均値が所定の閾値内になるようなＲＦ増幅回路のゲインの値を探索する。
図５において、ステップＳ１１１ではシステム制御手段２７からの指示によりレジスタ及びフィルタをＲＦ増幅回路のゲイン調整用に設定してステップＳ１１３へ進む。ステップＳ１１３ではＲＦゲインをデフォルト値にしてステップＳ１１５へ進む。ステップＳ１１５では、所定時間内の再生ＲＦ信号の振幅データを平均化してステップＳ１１７ｂへ進む。
【００１８】
ステップＳ１１７ｂではステップＳ１１５で算出した振幅の平均値が所定の閾値内か否かを判別し、肯定であればステップＳ１１９へ進み、否定であればステップＳ１３１へ進む。前記ステップＳ１１７ｂでは、振幅の平均値が第１の閾値以上で且つ第１の閾値より大きい第２の閾値以上であれば、肯定とし、それ以外は否定とする。ステップＳ１１９では、前回のＲＦゲイン値での探索と今回のＲＦゲイン値での探索と、２回連続してステップＳ１１７ｂからステップＳ１１９へ進んだか否かを判別し、肯定であればステップＳ１２１へ進み、否定であればステップＳ１３５へ進む。ステップＳ１２１では現在のＲＦ増幅回路のゲイン値をシステム制御手段２７内のＲＦゲインメモリに格納して、このフローを終了する。
【００１９】
ステップＳ１１７ｂからステップＳ１３１へ進むと、ステップＳ１３１ではリトライ回数が規定回数より大きければステップＳ１３３へ進み、大きくなければステップＳ１３５へ進む。前記リトライ回数とは、ステップＳ１１７ｂでの判別で否定となり、前記振幅の平均値が所定の閾値内になるまでにＲＦゲインの値を変更して探索を繰り返した回数である。また、前記リトライ回数の規定回数は、比較的大きく設定する必要があり、例えば３２に設定される。これは、再生ＲＦ信号の振幅が大きすぎて、ステップＳ１１７ｂにおいて所定の閾値内に入らないと判別された場合でも光ディスクが異常ではないことがあり、光ディスクが異常であると誤認しないために、規定回数を大きく取る必要がある。このために異常な光ディスクの場合にはＲＦ増幅器のゲイン調整に長時間を要することとなる。
ステップＳ１３３ではＲＦ増幅回路のゲイン値を格納するＲＦゲインメモリに、予め定めたデフォルト値を格納してこのフローを終了する。
【００２０】
ステップＳ１３１からステップＳ１３５へ進んだ場合は、ステップＳ１３５でリトライ回数をカウントアップ、即ちインクリメントしてステップＳ１３７へ進み、ステップＳ１３７でＲＦゲインを現在値から所定値だけ変更してステップＳ１１５へ進み、ＲＦゲイン値の探索を繰り返す。
【００２１】
【発明が解決しようとする課題】
光ディスク再生装置２０にディスクを裏返しにして装着したり、或いは無記録のディスクを装着したりしても、フォーカスの引き込みが正常に行われる場合がある。かかる場合に、光ディスク再生装置２０が周波数発電機を備えてなく、光ディスクに記録されている同期信号からしかディスクの回転速度を知ることが出来ない場合は、光ディスクにデータが記録されていないとディスクを回転するスピンドルモータの制御が出来ず、スピンドルモータが暴走していてもこの異常回転を検出できない。即ち、図４に示すステップＳ５７でのＲＦゲイン調整で、リトライを繰り返してもスピンドルモータの回転の異常を検出できず、ステップＳ５７の次にはステップＳ５９のフォーカスバランス調整を行うこととなる。また、図４に示すステップＳ１１以降の処理で自動調整の収束値が得られなかった場合は、その調整項目についてはデフォルト値が調整値として採用される。
【００２２】
そして、スピンドルモータが暴走している状態で図４に示すステップＳ５９のフォーカスバランス調整の処理まで行われた後、ステップＳ６１のＴＯＣサーチの処理へ進み、このＴＯＣサーチが所定時間内にできなかったときに、初めて再生装置が異常であると判断して、スピンドルモータの回転を停止する処理を行い、装着されている光ディスクを排出する。したがって、自動調整の開始から光ディスクが排出されるまでの時間が比較的長くなり、ユーザは光ディスクが排出されるまでに長い時間待たされるという問題があった。
【００２３】
本発明は前記した課題を解決するためになされたもので、その目的は、スピンドルモータ用の周波数発電機を備えなくても、光ディスクの異常を速やかに検出し、スピンドルモータの異常回転を早期に解消し得る光ディスク再生装置のゲイン調整方法を提供することである。
【００２４】
【課題を解決するための手段】
本発明は前記課題に鑑みてなされたものであり、第１の発明は、光ディスク再生装置におけるＲＦ増幅回路のゲイン調整方法において、ＲＦ信号の振幅が所定の閾値内であるか否かを判別する第１のステップと、該第１のステップで否定となった場合に、ＲＦ信号の振幅が所定のＮＧレベルより小さいか否かを判別する第２のステップとを有し、ＲＦ増幅回路のゲインを順次変更してＲＦ信号の振幅が所定の閾値内になるＲＦ増幅回路のゲインを探索している場合に、前記ＲＦ信号の振幅が所定の閾値内でなく且つ所定のＮＧレベルより小さいときは、ＲＦ増幅回路のゲイン調整を中止し、光ディスクを回転するスピンドルモータの回転を停止するようにした光ディスク再生装置におけるＲＦ増幅回路のゲイン調整方法である。
【００２５】
第２の発明は、第１の発明の光ディスク再生装置におけるＲＦ増幅回路のゲイン調整方法において、前記第１のステップではＲＦ信号の振幅が第１の閾値以上で且つ第２の閾値以下であるか否かを判別し、前記ＮＧレベルは前記第１の閾値より小さくするようにした光ディスク再生装置におけるＲＦ増幅回路のゲイン調整方法である。
【００２６】
第３の発明は、請求項１又は請求項２記載の光ディスク再生装置におけるＲＦ増幅回路のゲイン調整方法において、ＲＦ増幅回路のゲインを順次変更してＲＦ信号の振幅が所定の閾値内になるＲＦ増幅回路のゲインを探索している場合に、前記第２のステップで肯定となった回数、即ちＮＧ回数をカウントする第３のステップと、前記ＮＧ回数が所定のＮＧ回数より大きいか否かを判別する第４のステップとを有し、ＮＧ回数が所定のＮＧ回数より大きいときはＲＦ増幅回路のゲイン調整を中止し、光ディスクを回転するスピンドルモータの回転を停止するようにした光ディスク再生装置におけるＲＦ増幅回路のゲイン調整方法である。
【００２７】
第４の発明は、第３の発明の光ディスク再生装置におけるＲＦ増幅回路のゲイン調整方法において、前記第４のステップで否定となった場合には、ＲＦ増幅回路のゲインを変更してＲＦ信号の振幅が所定の閾値内になるＲＦ増幅回路のゲインを再度探索するようにした光ディスク再生装置におけるＲＦ増幅回路のゲイン調整方法である。
【００２８】
第５の発明は、第１の発明又は第２の発明の光ディスク再生装置におけるＲＦ増幅回路のゲイン調整方法において、前記第２のステップで否定となった場合に、ＲＦ増幅回路のゲインを順次変更して、ＲＦ信号の振幅が所定の閾値内になるＲＦ増幅回路のゲインを探索した回数、即ちリトライ回数をカウントする第５のステップと、前記リトライ回数が所定のリトライ回数より大きいか否かを判別する第６のステップを有し、前記第６のステップで肯定となったときはＲＦ増幅回路のゲインをデフォルト値に設定し、前記第６のステップで否定となったときはＲＦ増幅回路のゲインを変更してＲＦ信号の振幅が所定の閾値内になるＲＦ増幅回路のゲインを再度探索するようにした光ディスク再生装置におけるＲＦ増幅回路のゲイン調整方法である。
【００２９】
【発明の実施の形態】
以下、本発明の実施の形態について説明する。光ディスクが光ディスク再生装置に装着されると、光ピックアップを含む制御系の自動調整が行われる。この自動調整の中でＲＦ増幅回路のゲイン調整を行うに際し、ＲＦ増幅回路のゲインを順次変更してＲＦ信号の振幅が所定の閾値内になるＲＦ増幅回路のゲインを探索している場合に、前記ＲＦ信号の振幅が所定の閾値内でなく且つ所定のＮＧレベルより小さいときは、ＲＦ増幅回路のゲイン調整を中止し、光ディスクを回転するスピンドルモータの回転を停止する。これによりスピンドルモータ用の周波数発電機を備えない光ディスク再生装置であっても、光ディスク記録媒体の異常を速やかに検出し、スピンドルモータの異常回転を早期に解消することが出来る。
【００３０】
以下、本発明の実施例について、図と共に説明する。本発明のＲＦ増幅回路のゲイン調整方法が適用される光ディスク装置のブロック図は図３に示すブロック図と同じであるのでその図示を省略する。また、本発明に係る光ディスク再生装置の自動調整全体の手順は図４に示すフローチャートと同じであるからその図示を省略する。
以下に説明する本発明の光ディスク再生装置におけるＲＦ増幅回路のゲイン調整方法は、図４に示すステップＳ５７の処理に相当する処理である。
【００３１】
図１は本発明が適用される光ディスク再生装置に係る要部を示すブロック図であり、光ピックアップ１１内の４分割光検知器４０と、ＲＦ信号処理部３０とを示す。ＲＦ信号処理部３０は図３に示すＲＦ増幅回路１３、エラー信号検出手段１５、再生ＲＦ信号生成回路２３、ＲＦ信号振幅検出手段２５で構成されるＲＦ信号処理部３０に相当する。図３ではＲＦ信号処理部３０の構成が機能的に示されており、図１ではＲＦ信号処理部３０の具体的な構成がブロック図で示されている。
【００３２】
光ディスクからの反射光を受光する４分割光検知器４０は４つのフォトダイオード等の光センサＡ、Ｂ、Ｃ、Ｄからなり、それらの対角線上の光センサＡ、Ｃの出力が加算器４３で加算され、対角線上の光センサＢ、Ｄの出力が加算器４１で加算される。なお、符号Ａ〜Ｄはこれらの光センサとその出力信号の双方を示すものとする。
加算回路４５、５１は共に加算器４１、４３の出力信号同士を加算するものであり、減算回路４７、４９は共に加算器４３の出力信号から加算器４１の出力信号を減算するものである。また、加算回路４５の出力信号は遅延回路５３を介して乗算回路５５の一方の入力端子に与えられ、減算回路４７の出力信号はそのまま乗算回路５５の他方の入力端子に与えられる。乗算回路５５の出力信号はＬＰＦ（ローパスフィルタ）５７を介してトラッキングエラー信号ＴＥＳとしてトラッキングサーボ系に与えられる。この例のトラッキングエラー信号ＴＥＳは位相差法を用いたトラッキング信号である。
【００３３】
減算回路４９の出力信号はフォーカスエラー信号ＦＥＳとして用いられるべく、フォーカスサーボ制御系に与えられる。この例のフォーカスエラー信号ＦＥＳは非点収差法によるフォーカスエラー信号である。
加算回路５１の出力信号は４分割光検知器４０の和信号（再生ＲＦ信号ＳＲＦ）としてＥＦＭ復調などを行う信号処理回路へ出力されるとともに、ＲＦ信号振幅検出手段２５へも出力される。前記和信号ＳＲＦはディスクの記録情報を読み出すための主信号となる。
【００３４】
ＲＦ信号振幅検出手段２５は前記再生ＲＦ信号ＳＲＦの振幅を検出するものであり、例えば上側エンベロープと下側エンベロープを検波して、それらを減算することにより再生ＲＦ信号の振幅を検出してシステム制御手段２７に与える。システム制御手段２７は与えられた振幅値について所定時間での平均値を算出し、該平均値に基づいて加算回路５１のゲインを制御するゲイン制御信号を加算回路５１に与える。
なお、加算回路４５、減算回路４７、減算回路４９、加算回路５１は夫々のゲインを制御することが可能とされており、バランス調整やＲＦゲインの調整時にそれらのゲインが調整される。
【００３５】
以下に説明するＲＦ増幅回路のゲイン調整は、再生ＲＦ信号を生成して出力する加算回路５１のゲインを設定する処理である。
図２は本発明におけるＲＦ増幅回路のゲイン調整手順の一例を示すフローチャートである。図２において、ステップＳ１１１からステップＳ１２１までの処理は図５に示すフローチャートの場合と略同じであるから、同一の処理についての説明は省略する。
ステップＳ１１７ではステップＳ１１５で算出した振幅の平均値が所定の閾値内か否かを判別し、肯定であればステップＳ１１９へ進み、否定であればステップＳ１２３へ進む。
【００３６】
前記ステップＳ１２３では、再生ＲＦ信号振幅の平均値が所定のＮＧレベルより小さいか否かを判別し、肯定であればステップＳ１２５へ進み、否定であればステップＳ１３１へ進む。ステップＳ１２５では、ステップＳ１２３からステップＳ１２５へ進んだ回数をＮＧ回数として、このＮＧ回数を１だけインクリメントしてステップＳ１２７へ進む。ステップＳ１２７ではＮＧカウンタの値が８より大きいか否かを判別し、大きければステップＳ１２９へすすみ、大きくなければステップＳ１３５へ進む。前記したＮＧカウンタの限界値はステップＳ１３１におけるリトライ回数の規定回数より十分小さく設定される。例えばステップＳ１３１におけるリトライ回数は３２回であり、ステップＳ１２７におけるＮＧカウンタの限界値は８である。ステップＳ１２９ではスピンドルモータを強制的に停止する処理をしてこのフローを終了する。
【００３７】
ステップＳ１２３からステップＳ１３１へ進むと、ステップＳ１３１ではリトライ回数が規定回数より大きければステップＳ１３３へ進み、大きくなければステップＳ１３５へ進む。前記リトライ回数とは、ステップＳ１１７での判別で前記振幅の平均値が所定の閾値内になるまでにＲＦゲインの値を変更して探索を繰り返した回数である。
【００３８】
ステップＳ１３３ではＲＦ増幅回路のゲイン値を格納するＲＦゲインメモリに、予め定めたデフォルト値を設定値として格納してこのフローを終了する。ステップＳ１３１からステップＳ１３５へ進んだ場合は、ステップＳ１３５でリトライ回数をインクリメントしてステップＳ１３７へ進み、ステップＳ１３７でＲＦゲインを現在値から所定値だけ変更してステップＳ１１５へ進み、ＲＦ増幅回路のゲイン値の探索を繰り返す。
【００３９】
以上詳細に述べた通り、本発明を適用した実施の形態によれば、ＲＦ増幅回路のゲインを順次変更してＲＦ信号の振幅が所定の閾値内になるＲＦ増幅回路のゲインを探索している場合に、前記ＲＦ信号の振幅が所定の閾値内でなく且つ所定のＮＧレベルより小さいときは、スピンドルモータの回転を停止するようにしたから、例えば光ディスクを裏返しに装着した場合や未記録の光ディスクを装着した場合等に、光ディスクの異常を速やかに検出してスピンドルモータを早期に停止することが出来る。また、光ディスク再生装置の操作者は、異常な光ディスクが排出されるまでの待ち時間が短くなり、異常な光ディスクを早期に取り出すことが出来る。
【図面の簡単な説明】
【図１】本発明が適用される光ディスク再生装置に係る要部を示すブロック図である。
【図２】本発明におけるＲＦ増幅回路のゲイン調整手順の一例を示すフローチャートである。
【図３】一般的な光ディスク再生装置の一例を示すブロック図である。
【図４】一般的な光ディスク再生装置に係る自動調整手順の一例を示すフローチャートである。
【図５】従来例光ディスク再生装置におけるＲＦ増幅回路のゲイン調整手順を示すフローチャートである。
におけるＲＦ増幅回路のゲイン調整手順の一例を示すフローチャートである。
【符号の説明】
１１  光ピックアップ
１３  ＲＦ増幅回路
１５  エラー信号検出手段
１７  加算回路
１９  位相補償回路
２０  光ディスク再生装置
２１  アクチュエータ駆動回路
２３  再生ＲＦ信号生成回路
２５  ＲＦ信号振幅検出手段
２７  システム制御手段
３０  ＲＦ信号処理部
４０  ４分割光検知器
４１、４３  加算器
４５、５１  加算回路
４７、４９  減算回路
５３  遅延回路
５５  乗算回路
５７  ＬＰＦ（ローパスフィルタ）
【図１】
0003968464.tif 000002
【図２】
0003968464.tif 000003
【図３】
0003968464.tif 000004
【図４】
0003968464.tif 000005
【図５】
0003968464.tif 000006